(57)【要約】【課題】簡易な構造でありながら、環境性および経済性をより向上すること。【解決手段】濾過部材２６のうち吐出開口１８ａから吐出された異物９０を含む接着剤Ｂを濾過した部分を洗浄槽３６に移動させると共に、洗浄槽３６を経由した濾過部材２６を接着剤Ｂの濾過位置（吐出開口１８ａと収容タンク２２の開口２２ａとの間）に送るように構成する。濾過位置には、常に洗浄された濾過部材２６が配置される構成であるため、濾過部材２６の濾過能力の低下を防止し得る。また、異物９０を取り除くために常に洗浄水ＲＷを噴き付ける従来の構成に比べて洗浄水ＲＷの使用量を低減でき経済的であると共に、産業廃棄物の発生量を抑制し得て環境性の向上にも寄与することができる。さらに、洗浄斑を生じることがないため、洗浄性の向上を図ることができる。なお、洗浄槽３６を設けるのみであるため構造が簡易である。【選択図】図４
2019055377.tif 000002
【特許請求の範囲】
【請求項１】
異物を含む液体が吐出される吐出口からの前記液体を濾過する濾過装置であって、
前記吐出口から吐出される前記液体を受け入れ可能な開口を有し、該開口を介して流入する前記液体を収容可能に構成された収容タンクと、
前記吐出口と前記開口との間に介在して、前記吐出口から吐出される前記液体から前記異物を除去するよう構成された長尺状の濾過部材と、
前記液体を濾過した後の前記濾過部材を洗浄するための洗浄媒体が貯留された洗浄槽と、
前記濾過部材のうち前記液体を濾過した後の濾過済部が前記洗浄槽に向かうよう前記濾過部材を駆動すると共に、前記濾過部材のうち前記洗浄槽によって洗浄された洗浄済部が前記吐出口と前記開口との間に向かうよう前記濾過部材を駆動する駆動機構と、
を備える
濾過装置。
【請求項２】
前記駆動機構は、前記濾過部材を巻き掛け支持するよう構成された円筒状の第１、第２および第３支持部材と、該第１、第２および第３支持部材のいずれかを回転駆動するアクチュエータと、を有しており、
前記第１および第２支持部材は、前記吐出口に関して互いに反対側となる位置において前記第１および第２支持部材の各軸線が互いに平行となる位置関係であって、前記各軸線の両方に直交する直線に関し、該直線に沿う方向の一方側から見たときに、前記各軸線が前記吐出口から吐出される前記液体の流線と交差する位置関係となるよう配置されており、
前記第３支持部材は、前記洗浄媒体中において前記第３支持部材の軸線が前記第１および第２支持部材の各軸線に平行となるよう配置されており、
前記濾過部材は、前記第１、第２および第３支持部材に巻き掛けられる無端部材として構成されており、前記第１、第２および第３支持部材のいずれかが回転駆動されることに伴って回転されることで、前記濾過済部が前記洗浄槽に向かうと共に、前記洗浄済部が前記吐出口と前記開口との間に向かうよう構成されている
請求項１に記載の濾過装置。
【請求項３】
前記第３支持部材は、前記洗浄媒体中において、該第３支持部材に巻き掛けられた後の前記濾過部材の延在方向を、前記洗浄槽の上方を向く方向であって該第３支持部材の軸線を通る仮想鉛直面に関して前記第３支持部材に巻き掛けられる直前の前記濾過部材が配置された領域側に傾斜する方向に変更するよう構成されている
請求項２に記載の濾過装置。
【請求項４】
前記駆動機構は、前記第３支持部材に巻き掛けられる直前の前記濾過部材を巻き掛け支持する円筒状の第４支持部材をさらに備え、
該第４支持部材は、前記洗浄媒体中の前記第３支持部材よりも下方の位置において、前記第４支持部材の軸線が前記第３支持部材の軸線に平行となるよう配置されている
請求項３に記載の濾過装置。
【請求項５】
前記濾過部材に付着した前記洗浄媒体を除去する除去部材をさらに備え、
該除去部材は、前記濾過部材が前記洗浄媒体外に露出されてから前記吐出口と前記開口との間に向かうまでの前記濾過部材の移動経路中に設けられている
請求項１ないし４のいずれか１項に記載の濾過装置。
【請求項６】
前記洗浄槽は、第１および第２洗浄槽を有しており、
該第１および第２洗浄槽は、前記開口に関して互いに反対側となる位置に配置されており、
前記駆動機構は、前記第１および第２洗浄槽の上方に配置されて前記濾過部材を巻き掛け支持するよう構成された円筒状の第１および第２支持部材と、前記第１および第２洗浄媒体中において前記濾過部材を巻き掛け支持するよう構成された円筒状の第３および第４支持部材と、前記濾過部材のうち第３支持部材に巻き掛けられた側の前記濾過部材を巻き取り可能に構成された第１アクチュエータと、前記濾過部材のうち第４支持部材に巻き掛けられた側の前記濾過部材を巻き取り可能に構成された第２アクチュエータと、を有しており、
前記第１および第２支持部材は、該第１および第２支持部材の各軸線が互いに平行となる位置関係であって、前記各軸線の両方に直交する直線に関し、該直線に沿う方向の一方側から見たときに、前記各軸線が前記吐出口から吐出される前記液体の流線と交差する位置関係となるよう配置されており、
前記第３および第４支持部材は、前記第１および第２洗浄媒体中において前記第３および第４支持部材の各軸線が前記第１および第２支持部材の各軸線に平行となるよう配置されており、
前記第１アクチュエータを駆動することによって、前記濾過済部が前記第１洗浄槽に向かうと共に前記第２洗浄槽によって洗浄された前記洗浄済部が前記吐出口と前記開口との間に向かい、前記第２アクチュエータを駆動することによって、前記濾過済部が前記第２洗浄槽に向かうと共に前記第１洗浄槽によって洗浄された前記洗浄済部が前記吐出口と前記開口との間に向かうよう構成されている
請求項１に記載の濾過装置。
【請求項７】
前記第３支持部材は、前記第１洗浄媒体中において、該前記第３支持部材に巻き掛けられた後の前記濾過部材の延在方向を、前記第１洗浄槽の上方を向く方向であって該第３支持部材の軸線を通る仮想鉛直面に関して前記第３支持部材に巻き掛けられる直前の前記濾過部材が配置された領域側に傾斜する方向に変更するよう構成されており、
前記第４支持部材は、前記第２洗浄媒体中において、該前記第４支持部材に巻き掛けられた後の前記濾過部材の延在方向を、前記第２洗浄槽の上方を向く方向であって該第４支持部材の軸線を通る仮想鉛直面に関して前記第４支持部材に巻き掛けられる直前の前記濾過部材が配置された領域側に傾斜する方向に変更するよう構成されている
請求項６に記載の濾過装置。
【請求項８】
前記駆動機構は、前記第３および第４支持部材に巻き掛けられる直前の前記濾過部材を巻き掛け支持する円筒状の第５および第６支持部材をさらに備え、
該第５支持部材は、前記第１洗浄媒体中の前記第３支持部材よりも下方の位置において、前記第５支持部材の軸線が前記第３支持部材の軸線に平行となるよう配置されており、
該第６支持部材は、前記第２洗浄媒体中の前記第４支持部材よりも下方の位置において、前記第６支持部材の軸線が前記第４支持部材の軸線に平行となるよう配置されている
請求項７に記載の濾過装置。
【請求項９】
前記液体は、水溶性の接着剤に非水溶性の添加剤が添加された接着媒体として構成されており、
前記洗浄媒体は、水である
請求項１ないし８のいずれか１項に記載の濾過装置。
【請求項１０】
前記水に溶解せずに前記洗浄槽内に沈殿する前記添加剤を回収する回収容器をさらに備える
請求項１ないし５のいずれか１項に従属する請求項９に記載の濾過装置。
【請求項１１】
前記水に溶解せずに前記第１および第２洗浄槽内に沈殿する前記添加剤を回収する第１および第２回収容器をさらに備える
請求項６ないし８のいずれか１項に従属する請求項９に記載の濾過装置。
【請求項１２】
単板を搬送する搬送コンベヤと、
前記単板に接着媒体を塗布する接着媒体塗布機構と、
該接着媒体塗布機構に前記接着媒体を供給する接着媒体供給部と、
請求項９に記載の濾過装置と、
を備え、
前記接着媒体塗布機構は、前記濾過装置の前記濾過部材に向けて前記接着媒体を吐出する吐出口を有しており、
前記濾過装置は、前記吐出口から吐出される前記接着媒体を濾過して回収すると共に、回収した濾過済の前記接着媒体を前記接着媒体供給部に循環するよう構成されている
接着媒体塗布装置。
【請求項１３】
異物を含む液体が吐出される吐出口からの前記液体を濾過する濾過方法であって、
（ａ）濾過部材を介して前記吐出口から吐出される前記液体を収容タンクに収容する工程と、
（ｂ）前記濾過部材のうち前記液体を濾過した後の濾過済部を洗浄媒体が貯留された洗浄槽に向けて移動させると共に、前記濾過部材のうち前記洗浄槽によって洗浄された洗浄済部を前記吐出口に対向する位置に移動させる工程と、
を備える濾過方法。
【発明の詳細な説明】
【技術分野】
【０００１】
本発明は、異物を含む液体が吐出される吐出口からの液体を濾過する濾過装置および濾過方法に関する。
【背景技術】
【０００２】
特開２００６−２６３６６９号公報（特許文献１）には、ゴミ等の異物を含む液体を濾過する濾過部材と、当該濾過部材によって濾過された液体を収容するメインタンクと、濾過部材上に残った異物に洗浄水などを噴き付ける噴射ノズルと、噴射された洗浄水や当該洗浄水によって濾過部材から取り除かれた異物を収容するサブタンクと、を備える濾過装置が記載されている。
【０００３】
当該濾過装置では、濾過部材がエンドレスに回動される構成とすることによって、濾過部材のうち異物を含む液体が接触する部分を、常に異物が取り除かれた状態とすることができるため、長期間に亘って安定した濾過状態を得ることができる。
【先行技術文献】
【特許文献】
【０００４】
【特許文献１】特開２００６−２６３６６９号公報
【発明の概要】
【発明が解決しようとする課題】
【０００５】
ところで、サブタンクに収容された異物を含む洗浄液は産業廃棄物として処分されることになるため、環境保護や処分費用低減などの観点から考えると発生する産業廃棄物量は少ないほど望ましい。しかしながら、上述した公報に記載の濾過装置では、異物を取り除くために常に洗浄液を噴き付ける構成であるため、洗浄液の使用量が大量となるばかりでなく、産業廃棄物としての洗浄後の洗浄液が大量に発生してしまい、経済性および環境性という点において、なお改良の余地がある。この点、洗浄後の洗浄液を再度噴射ノズルに供給する構成、即ち、洗浄液を循環使用する構成が考えられるが、異物などによる噴射ノズルの詰まりを防止するために、洗浄後の洗浄液を濾過するための機構が別途必要となり、装置が大掛かりなものとなって装置の簡便性という点においても、なお改良の余地がある。また、上述した公報に記載の濾過装置では、洗浄液を噴き付けることによって濾過部材の洗浄を行う構成であるため、洗浄液の異物への当たり方によっては異物を濾過部材から取り除ことができない場合が生じてしまう。なお、濾過部材によって濾過される液体自体が粘性を有する液体などである場合には、当該液体自体が濾過部材に付着したままの状態では当該濾過部材に目詰まりが生じて濾過性能が低下するため、異物と共に当該液体自体を除去することが必要となる。しかしながら、洗浄液を噴き付ける構成では、洗浄斑が生じてしまい、濾過部材に付着した液体を確実に取り除くことが困難である。このように、上述した公報に記載の濾過装置では、洗浄性という点においても、なお改良の余地がある。
【０００６】
本発明は、上記に鑑みてなされたものであり、簡易な構造でありながら、経済性および環境性を向上することができる濾過装置および濾過方法を提供することを目的の一つとする。また、簡易な構造でありながら、洗浄性を向上することができる濾過装置および濾過方法を提供することを目的の一つとする。
【課題を解決するための手段】
【０００７】
本発明の濾過装置および濾過方法は、上述の目的を達成するために以下の手段を採った。
【０００８】
本発明に係る濾過装置の好ましい形態によれば、異物を含む液体が吐出される吐出口からの当該液体を濾過する濾過装置が構成される。当該濾過装置は、収容タンクと、長尺状の濾過部材と、洗浄槽と、駆動機構と、を備えている。収容タンクは、吐出口から吐出される液体を受け入れ可能な開口を有し、当該開口を介して流入する液体を収容可能に構成されている。濾過部材は、吐出口と開口との間に介在して、吐出口から吐出される液体から異物を除去するように構成されている。洗浄槽は、液体を濾過した後の濾過部材を洗浄するための洗浄媒体が貯留されている。駆動機構は、濾過部材のうち液体を濾過した後の濾過済部が洗浄槽に向かうように濾過部材を駆動すると共に、濾過部材のうち洗浄槽によって洗浄された洗浄済部が吐出口と開口との間に向かうように濾過部材を駆動する。
【０００９】
本発明によれば、濾過部材のうち液体を濾過した後の濾過済部が洗浄槽へ移動されて洗浄されると共に、濾過部材のうち洗浄槽で洗浄された洗浄済部が吐出口と収容タンクの開口との間に移動される構成、換言すれば、吐出口と収容タンクの開口との間には、常に洗浄された洗浄済部が配置される構成であるため、濾過部材の濾過能力の低下を防止し得る。また、洗浄槽に貯留された洗浄媒体によって濾過部材に付着した異物を取り除く構成であるため、異物を取り除くために常に洗浄液を噴き付ける従来の構成に比べて洗浄液の使用量を抑えることができ経済的であると共に、産業廃棄物の発生量を抑制することができる。さらに、濾過済部を洗浄媒体中に浸漬させて洗浄する構成であるため、洗浄斑を生じることがなく、洗浄性の向上を図ることができる。なお、洗浄槽内の洗浄液は静的な状態が維持されるため、洗浄槽内で分離された異物等が洗浄液中で撹拌されたりすることがない。これにより、異物の除去効率の向上を図ることができる。また、洗浄槽を設けるのみであるため構造が簡易である。
【００１０】
本発明に係る濾過装置の更なる形態によれば、駆動機構は、濾過部材を巻き掛け支持するように構成された円筒状の第１、第２および第３支持部材と、当該第１、第２および第３支持部材のいずれかを回転駆動するアクチュエータと、を有している。第１および第２支持部材は、吐出口に関して互いに反対側となる位置において第１および第２支持部材の各軸線が互いに平行となる位置関係であって、当該各軸線の両方に直交する直線に関し、当該直線に沿う方向の一方側から見たときに、各軸線が吐出口から吐出される液体の流線と交差する位置関係となるように配置されている。また、第３支持部材は、洗浄媒体中において第３支持部材の軸線が第１および第２支持部材の各軸線に平行となるように配置されている。そして、濾過部材は、第１、第２および第３支持部材に巻き掛けられる無端部材として構成されており、第１、第２および第３支持部材のいずれかが回転駆動されることに伴って回転されることで、濾過済部が洗浄槽に向かうと共に、洗浄済部が吐出口と開口との間に向かうように構成されている。ここで、本発明における「円筒状」とは、文字通り円筒のみならず、円柱を含む概念である。
【００１１】
本形態によれば、濾過部材を無端部材として構成すると共に、３つの支持部材と、これらのうちのいずれかを回転駆動するアクチュエータと、を備えるのみの構成であるため、濾過部材のうち濾過済部を洗浄槽へ移動させると共に、濾過部材のうち洗浄済部を吐出口と収容タンクの開口との間に移動させる構成、換言すれば、吐出口と収容タンクの開口との間に常に洗浄された洗浄済部を配置する構成を簡易に実現することができる。
【００１２】
駆動機構が、第１、第２および第３支持部材と、アクチュエータと、を有する態様の本発明に係る濾過装置の更なる形態によれば、第３支持部材は、洗浄媒体中において、当該第３支持部材に巻き掛けられた後の濾過部材の延在方向を、洗浄槽の上方を向く方向であって当該第３支持部材の軸線を通る仮想鉛直面に関して当該第３支持部材に巻き掛けられる直前の濾過部材が配置された領域側に傾斜する方向に変更するように構成されている。
【００１３】
本形態によれば、濾過部材が第３支持部材に巻き掛けられる直前までは、濾過部材のうち吐出口から吐出された液体が接触する面（以下、「濾過部材の接触面」という）が概ね洗浄槽の底面を向く状態で移動されるが、第３支持部材に巻き掛けられた後は、濾過部材の接触面が洗浄槽の概ね上方を向く状態で移動される構成、換言すれば、洗浄媒体中において濾過部材の上下面が反転される構成であるため、濾過部材が第３支持部材を通過した後に、異物の濾過部材からの分離が浮力によって促進される。これにより、当該濾過部材から異物が分離されずに、再び吐出口と収容タンクの開口との間まで運ばれることを良好に防止し得る。この結果、濾過部材の濾過能力の低下をより確実に防止し得る。
【００１４】
第３支持部材によって濾過部材の上下面が反転される態様の本発明に係る濾過装置の更なる形態によれば、駆動機構は、第３支持部材に巻き掛けられる直前の濾過部材を巻き掛け支持する円筒状の第４支持部材をさらに備えている。そして、第４支持部材は、洗浄媒体中の第３支持部材よりも下方の位置において、第４支持部材の軸線が第３支持部材の軸線に平行となるように配置されている。ここで、本発明における「円筒状」とは、文字通り円筒のみならず、円柱を含む概念である。
【００１５】
本形態によれば、濾過部材が第４支持部材から第３支持部材まで移動する間に当該濾過部材から分離した異物が、当該異物に作用する浮力によって、洗浄槽のうち第３支持部材が配置された側に搬送され易くなる。これにより、洗浄槽内の決まった場所、即ち、第３支持部材が配置された側の領域に異物を収集することができるため、洗浄槽内から異物を除去する際の作業効率を向上することができる。
【００１６】
本発明に係る濾過装置の更なる形態によれば、濾過部材に付着した洗浄媒体を除去する除去部材をさらに備えている。そして、当該除去部材は、濾過部材が洗浄媒体外に露出されてから吐出口と開口との間に向かうまでの濾過部材の移動経路中に設けられている。
【００１７】
本形態によれば、洗浄槽内で洗浄された濾過部材の洗浄済部が吐出口と収容タンクの開口との間に移動された際に、当該洗浄済部に付着している洗浄媒体の量を低減できる。これにより、濾過部材のうち洗浄済部によって液体を濾過する際に、濾過された液体と共に収容タンク内に収容される洗浄媒体の量を低減できる。この結果、収容タンク内の液体が希釈されることを抑制できる。なお、液体が粘性流体であれば粘性が低下することを抑制できる。
【００１８】
本発明に係る濾過装置の更なる形態によれば、洗浄槽は、第１および第２洗浄槽を有している。当該第１および第２洗浄槽は、収容タンクの開口に関して互いに反対側となる位置に配置されている。駆動機構は、第１および第２支持部材と、第３および第４支持部材と、第１アクチュエータと、第２アクチュエータと、を有している。第１および第２支持部材は、第１および第２洗浄槽の上方に配置されて濾過部材を巻き掛け支持するように円筒状に構成されている。また、第１および第２支持部材は、当該第１および第２支持部材の各軸線が互いに平行となる位置関係であって、各軸線の両方に直交する直線に関し、当該直線に沿う方向の一方側から見たときに、各軸線が吐出口から吐出される液体の流線と交差する位置関係となるように配置されている。第３および第４支持部材は、第１および第２洗浄媒体中において濾過部材を巻き掛け支持するように円筒状に構成されている。また、第３および第４支持部材は、第１および第２洗浄媒体中において第３および第４支持部材の各軸線が第１および第２支持部材の各軸線に平行となるように配置されている。第１アクチュエータは、濾過部材のうち第３支持部材に巻き掛けられた側の濾過部材を巻き取り可能に構成されている。第２アクチュエータは、濾過部材のうち第４支持部材に巻き掛けられた側の濾過部材を巻き取り可能に構成されている。さらに、そして、第１アクチュエータを駆動することによって、濾過済部が第１洗浄槽に向かうと共に第２洗浄槽によって洗浄された洗浄済部が吐出口と開口との間に向かい、第２アクチュエータを駆動することによって、濾過済部が第２洗浄槽に向かうと共に第１洗浄槽によって洗浄された洗浄済部が吐出口と開口との間に向かうように構成されている。
【００１９】
ここで、本発明における「円筒状」とは、文字通り円筒のみならず、円柱を含む概念である。また、本発明における「第１および第２洗浄槽の上方」とは、典型的には、第１および第２洗浄槽の開口の直上がこれに該当するが、第１および第２洗浄槽の開口が配置された高さ位置よりも上方の位置であれば良く、第１および第２洗浄槽の開口の直上に限らない概念である。
【００２０】
本形態によれば、洗浄槽を２つ有する構成であるため、一方の洗浄槽における産業廃棄物処理を行っている間は、他方の洗浄槽によって濾過部材の洗浄を行うことができる。即ち、産業廃棄物処理を行っている最中も装置を停止することなく稼働できるため、作業効率の向上を図ることができる。
【００２１】
本発明に係る濾過装置の更なる形態によれば、第３支持部材は、第１洗浄媒体中において、当該前記第３支持部材に巻き掛けられた後の濾過部材の延在方向を、第１洗浄槽の上方を向く方向であって、当該第３支持部材の軸線を通る仮想鉛直面に関して第３支持部材に巻き掛けられる直前の濾過部材が配置された領域側に傾斜する方向に変更するように構成されている。また、第４支持部材は、第２洗浄媒体中において、当該前記第４支持部材に巻き掛けられた後の濾過部材の延在方向を、第２洗浄槽の上方を向く方向であって、当該第４支持部材の軸線を通る仮想鉛直面に関して第４支持部材に巻き掛けられる直前の濾過部材が配置された領域側に傾斜する方向に変更するように構成されている。
【００２２】
本形態によれば、各洗浄槽内の洗浄媒体中において濾過部材の上下面を反転させる構成であるため、濾過部材が第３または第４支持部材を通過した後に、異物の濾過部材からの分離が浮力によって促進される。これにより、洗浄槽を２つ有する構成においても、濾過部材から異物が分離されずに、再び吐出口と収容タンクの開口との間まで運ばれることを良好に防止し得る。この結果、濾過部材の濾過能力の低下をより確実に防止し得る。
【００２３】
本発明に係る濾過装置の更なる形態によれば、駆動機構は、第３および第４支持部材に巻き掛けられる直前の濾過部材を巻き掛け支持する第５および第６支持部材をさらに備えている。また、第５支持部材は、第１洗浄媒体中の第３支持部材よりも下方の位置において、第５支持部材の軸線が第３支持部材の軸線に平行となるように配置されている。そして、第６支持部材は、第２洗浄媒体中の第４支持部材よりも下方の位置において、第６支持部材の軸線が第４支持部材の軸線に平行となるように配置されている。ここで、本発明における「円筒状」とは、文字通り円筒のみならず、円柱を含む概念である。
【００２４】
本形態によれば、濾過部材が第５または第６支持部材から第３または第４支持部材まで移動する間に当該濾過部材から分離した異物が、当該異物に作用する浮力によって、各洗浄槽のうち第３または第４支持部材が配置された側に搬送され易くなる。これにより、各洗浄槽内の決まった場所、即ち、第３または第４支持部材が配置された側の領域に異物を収集することができるため、各洗浄槽内から異物を除去する際の作業効率を向上することができる。
【００２５】
本発明に係る濾過装置の更なる形態によれば、液体は、水溶性の接着剤に非水溶性の添加剤が添加された接着媒体として構成されている。そして、洗浄媒体は、水である。ここで、本発明における「接着剤」としては、典型的には、水溶性のフェノール樹脂接着剤がこれに該当する。また、本発明における「添加剤」としては、典型的には、小麦粉や炭酸カルシウムなどの増量剤や効果促進剤がこれに該当する。
【００２６】
本形態によれば、洗浄媒体としての水によって接着媒体中の接着剤を良好に溶解することができるため、濾過部材から接着剤および異物を良好に取り除くことができる。なお、接着媒体中の添加物は、洗浄媒体としての水に溶解せずに洗浄槽内に沈殿するため、洗浄槽内において、接着媒体の各成分および異物を分離することができる。これにより、これら接着媒体の各成分および異物を個別に処理することができる。この結果、産業廃棄物処理にかかる手間およびコストを低減することができる。
【００２７】
本発明に係る濾過装置の更なる形態によれば、水に溶解せずに洗浄槽内に沈殿する添加剤を回収する回収容器をさらに備えている。
【００２８】
本形態によれば、洗浄媒体内で、沈殿する添加物の処理をより簡易に行うことができる。
【００２９】
洗浄槽を２つ備える態様の本発明に係る濾過装置の更なる形態によれば、水に溶解せずに第１および第２洗浄槽内に沈殿する添加剤を回収する第１および第２回収容器をさらに備えている。
【００３０】
本形態によれば、各洗浄媒体内で、沈殿する添加物の処理をより簡易に行うことができる。
【００３１】
本発明に係る接着媒体塗布装置の好ましい形態によれば、単板を搬送する搬送コンベヤと、当該単板に接着媒体を塗布する接着媒体塗布機構と、当該接着媒体塗布機構に接着媒体を供給する接着媒体供給部と、異物を含む液体としての接着媒体を濾過する上述のいずれかの態様の本発明に係る濾過装置と、を備えている。接着媒体塗布機構は、濾過装置の濾過部材に向けて接着媒体を吐出する吐出口を有している。そして、当該濾過装置は、吐出口から吐出される接着媒体を濾過して回収すると共に、回収した濾過済の接着媒体を接着媒体供給部に循環するように構成されている。
【００３２】
本発明によれば、異物を含む液体としての接着媒体を濾過する上述のいずれかの態様の本発明の濾過装置を備えるため、本発明に係る濾過装置が奏する効果、例えば、簡易な構造でありながら、濾過部材の濾過能力の低下を防止し得るという効果や、異物を取り除くために常に洗浄液を噴き付ける従来の構成に比べて経済的であり、かつ、産業廃棄物の発生量を抑制することができるという効果、さらには、洗浄性の向上を図ることができるという効果などと同様の効果を奏することができる。
【００３３】
本発明に係る濾過方法の好ましい形態によれば、異物を含む液体が吐出される吐出口からの当該液体を濾過する濾過方法が構成される。当該濾過方法では、（ａ）濾過部材を介して吐出口から吐出される液体を収容タンクに収容する工程と、（ｂ）濾過部材のうち液体を濾過した後の濾過済部を洗浄媒体が貯留された洗浄槽に向けて移動させると共に、濾過部材のうち洗浄槽によって洗浄された洗浄済部を吐出口に対向する位置に移動させる工程と、を備えている。
【００３４】
本発明によれば、濾過部材のうち液体を濾過した後の濾過済部を洗浄槽へ移動して洗浄すると共に、濾過部材のうち洗浄槽で洗浄した洗浄済部を吐出口と収容タンクの開口との間に移動する構成、換言すれば、吐出口と収容タンクの開口との間に、常に洗浄された洗浄済部を配置する構成であるため、濾過部材の濾過能力の低下を防止し得る。また、洗浄槽に貯留した洗浄媒体によって濾過部材に付着した異物を取り除く構成であるため、異物を取り除くために常に洗浄液を噴き付ける従来の構成に比べて経済的であると共に、産業廃棄物の発生量を抑制することができる。さらに、濾過済部を洗浄媒体中に浸漬させて洗浄する構成であるため、洗浄斑を生じることがなく、洗浄性の向上を図ることができる。なお、洗浄槽を設けるのみであるため構造が簡易である。
【発明の効果】
【００３５】
本発明によれば、簡易な構造でありながら、環境性および経済性を向上することができる。また、本発明によれば、簡易な構造でありながら、洗浄性を向上することができる。
【図面の簡単な説明】
【００３６】
【図１】本発明の実施の形態に係る接着剤塗布装置１の構成の概略を示す概略構成図である。
【図２】接着剤塗布機構６の構成の概略を示す概略構成図である。
【図３】本発明の実施の形態に係る濾過装置２０の構成の概略を示す斜視図である。
【図４】本発明の実施の形態に係る濾過装置２０の構成の概略を示す模式図である。
【図５】支持ロール２４ａ，２４ｂ，２４ｃ，２４ｄ，２４ｅの外観を示す説明図である。
【図６】水切り部材３０の構成の概略を示す説明図である。
【図７】変形例の濾過装置１２０の構成の概略を示す模式図である。
【図８】変形例の濾過装置２２０の構成の概略を示す模式図である。
【図９】変形例の濾過装置３２０の構成の概略を示す模式図である。
【図１０】変形例の濾過装置４２０の構成の概略を示す模式図である。
【図１１】変形例の濾過装置５２０の構成の概略を示す模式図である。
【図１２】変形例の濾過装置６２０の構成の概略を示す模式図である。
【図１３】変形例の濾過装置７２０の構成の概略を示す模式図である。
【図１４】変形例の支持ロール８２４の外観を示す説明図である。
【図１５】変形例の水切り部材８３０の構成の概略を示す説明図である。
【図１６】変形例の濾過部材８２６の外観を示す説明図である。
【図１７】洗浄槽３６内に設置した回収容器４６によって非水溶性の添加剤（小麦粉や炭酸カルシウムなどの増量剤や効果促進剤）を回収する様子を示す説明図である。
【発明を実施するための形態】
【００３７】
次に、本発明を実施するための最良の形態を実施例を用いて説明する。
【実施例１】
【００３８】
本発明の実施の形態に係る接着剤塗布装置１は、図１に示すように、搬送コンベヤ２によって搬送される木製の単板４に接着剤Ｂを塗布する接着剤塗布機構６と、当該接着剤塗布機構６に接着剤Ｂを供給する接着剤供給ノズル８と、当該接着剤塗布機構６に供給された接着剤Ｂから木片や木屑等を含む異物９０（図３参照）を濾過して回収する本発明の実施の形態に係る濾過装置２０と、を備えている。なお、当該接着剤塗布装置１は、濾過装置２０によって回収した濾過済の接着剤Ｂを接着剤供給ノズル８に循環するように構成されている。接着剤塗布装置１は、本発明における「接着媒体塗布装置」に対応し、接着剤供給ノズル８は、本発明における「接着媒体供給部」に対応する実施構成の一例である。
【００３９】
接着剤塗布機構６は、図２に示すように、塗布ロール１２と、規制ロール１４と、挟み込みロール１６と、接着剤吐出部１８と、を備えている。塗布ロール１２および規制ロール１４は、当該塗布ロール１２および規制ロール１４の軸線が、搬送コンベヤ２の各ローラ２ａの各軸線を含む仮想平面ＶＰ１よりも上方（図２の上方）に位置するように配置されている。また、挟み込みロール１６は、当該挟み込みロール１６の軸線が、仮想平面ＶＰ１よりも下方（図２の下方）に位置するように配置されている。接着剤塗布機構６は、本発明における「接着媒体塗布機構」に対応する実施構成の一例である。
【００４０】
塗布ロール１２は、外周面に付着する接着剤Ｂを保持可能に構成されている。規制ロール１４は、図２に示すように、当該規制ロール１４の軸線および塗布ロール１２の軸線を含む仮想平面ＶＰ２が、仮想平面ＶＰ１に対して平行となるように塗布ロール１２に隣接して配置されている。塗布ロール１２と規制ロール１４とが最も接近する部位の直上に対応する位置であって、塗布ロール１２および規制ロール１４の軸線方向のほぼ中央の位置には、接着剤供給ノズル８が配置されており（図１および図２参照）、塗布ロール１２および規制ロール１４によって接着剤貯留部６０が構成されている。
【００４１】
塗布ロール１２および規制ロール１４は、当該接着剤貯留部６０に貯留された接着剤Ｂを塗布ロール１２および規制ロール１４の間に巻き込む方向に互いに逆回転される、即ち、塗布ロール１２は、図２において時計回りに回転されると共に、規制ロール１４は、図２において反時計回りに回転される。このように、塗布ロール１２および規制ロール１４の回転に伴って塗布ロール１２および規制ロール１４間に巻き込まれた接着剤Ｂは、塗布ロール１２の外周面に付着して塗布ロール１２と共に回転される。なお、塗布ロール１２の外周面への接着剤Ｂの付着量は、塗布ロール１２と規制ロール１４との距離（隙間）を変更することによって調整することができる。
【００４２】
また、挟み込みロール１６は、図２に示すように、当該挟み込みロール１６の軸線および塗布ロール１２の軸線を含む仮想平面ＶＰ３が、仮想平面ＶＰ１に対して直交するように塗布ロール１２に隣接して配置されている。なお、挟み込みロール１６は、塗布ロール１２に対向する面が、搬送コンベヤ２の各ローラ２ａの共通仮想接線ＶＴＬに接するように配置されている。換言すれば、挟み込みロール１６は、挟み込みロール１６の塗布ロール１２に対向する面が、搬送コンベヤ２の各ローラ２ａの上面、即ち、単板４を搬送する面と同じ高さ位置となるように(面一となるように)配置されている。
【００４３】
また、塗布ロール１２および挟み込みロール１６間には、単板４を挟み込むことができる程度の隙間が設けられている。挟み込みロール１６は、塗布ロール１２の回転方向とは反対方向、即ち、図２において反時計回りに回転される。搬送コンベヤ２の各ローラ２ａによって接着剤塗布機構６まで搬送されてきた単板４は、当該塗布ロール１２および挟み込みロール１６の回転によって、塗布ロール１２および挟み込みロール１６間に挟み込まれた後、さらに下流側（図２の左側）へ向けて搬送される。ここで、単板４が塗布ロール１２および挟み込みロール１６間を通過する際に、塗布ロール１２に付着した接着剤Ｂが単板４の上面（図２における上方を向く面）に塗布される（図１参照）。
【００４４】
接着剤吐出部１８は、図１に示すように、塗布ロール１２および規制ロール１４の軸線方向の一端側に配置されている。接着剤吐出部１８は、図２に示すように、一端が接着剤貯留部６０に開口されていると共に、他端が下方（図２の下側）に開口された吐出開口１８ａを有する略Ｌ字状（図１参照）のパイプ部材として構成されており、接着剤貯留部６０に貯留された接着剤Ｂを下方（図２の下側）に向けて吐出する。なお、本実施の形態では、接着剤吐出部１８からの接着剤Ｂの吐出は、接着剤貯留部６０内の接着剤Ｂの自重や、接着剤供給ノズル８から接着剤貯留部６０への接着剤Ｂの投入による押し出し効果に起因した接着剤Ｂの流動作用などによって自然発生的に生じる構成とした。
【００４５】
ここで、本実施の形態では、接着剤Ｂは、水溶性のフェノール樹脂接着剤に、非水溶性の添加剤、および、粘度調整や増量を期待できる水を配合する構成とした。なお、非水溶性の添加剤としては、増量剤や硬化促進剤としての効果が期待できる小麦粉および炭酸カルシウムを用いる構成とした。
【００４６】
本発明の実施の形態に係る濾過装置２０は、図３または図４に示すように、収容タンク２２と、当該収容タンク２２の周囲に配置された複数の支持ロール２４ａ，２４ｂ，２４ｃ，２４ｄ，２４ｅと、当該複数の支持ロール２４ａ，２４ｂ，２４ｃ，２４ｄ，２４ｅに巻き掛けられた濾過部材２６と、支持ロール２４ａを駆動する駆動モータ２８（図３参照）と、水切り部材３０と、収容タンク２２に接続された循環パイプ３２と、当該循環パイプ３２に接続された循環ポンプ３４（図３参照）と、収容タンク２２の直下に配置された洗浄槽３６と、を備えている。支持ロール２４ａ，２４ｂ，２４ｃ，２４ｄ，２４ｅおよび駆動モータ２８は、本発明における「駆動機構」に対応する実施構成の一例である。
【００４７】
収容タンク２２は、図４に示すように、上面に開口２２ａを有すると共に、底面に取出しパイプ２２ｂが一体にされた構成をしており、図３および図４に示すように、接着剤吐出部１８の他端に設けられた吐出開口１８ａの直下に配置されている。なお、収容タンク２２は、開口２２ａを上方から見たときに、吐出開口１８ａが開口２２ａのほぼ中央に配置されるような位置関係となるように設置されている（図３参照）。
【００４８】
複数の支持ロール２４ａ，２４ｂ，２４ｃ，２４ｄ，２４ｅは、図５に示すように、軸線方向（図５の左右方向）の両端部に径方向に突出した鍔部２５，２５を有する円筒部材として構成されており、当該支持ロール２４ａ，２４ｂ，２４ｃ，２４ｄ，２４ｅの各軸線が互いに平行となるように配置されている（図３参照）。なお、鍔部２５，２５によって、支持ロール２４ａ，２４ｂ，２４ｃ，２４ｄ，２４ｅに巻き掛けられた濾過部材２６の蛇行や当該支持ロール２４ａ，２４ｂ，２４ｃ，２４ｄ，２４ｅからの脱落が防止される。
【００４９】
複数の支持ロール２４ａ，２４ｂ，２４ｃ，２４ｄ，２４ｅのうちの支持ロール２４ａ，２４ｂは、図４に示すように、収容タンク２２の開口２２ａを挟むように当該開口２２ａの長手方向（図４の左右方向）の両端部に配置されている。換言すれば、支持ロール２４ａ，２４ｂは、接着剤吐出部１８の吐出開口１８ａに関して互いに異なる方向（反対側）に配置されている。また、支持ロール２４ａ，２４ｂは、当該支持ロール２４ａ，２４ｂの上面が収容タンク２２の開口２２ａよりも上方に位置するように設置されている。
【００５０】
これにより、支持ロール２４ａ，２４ｂに巻き掛けられた濾過部材２６は、図３および図４に示すように、接着剤吐出部１８の吐出開口１８ａと収容タンク２２の開口２２ａとの間で、当該開口２２ａの長手方向（図４の左右方向）に沿って延在する。換言すれば、支持ロール２４ａ，２４ｂに巻き掛けられた濾過部材２６は、吐出開口１８ａから吐出される接着剤Ｂを横切る方向に延在する。支持ロール２４ａ，２４ｂは、本発明における「第１支持部材」および「第２支持部材」に対応する実施構成の一例である。
【００５１】
支持ロール２４ｃは、図４に示すように、支持ロール２４ｂの直下であって洗浄槽３６よりも若干上方の位置に設置されている。支持ロール２４ｄ，２４ｅは、洗浄槽３６内であって、当該洗浄槽３６に洗浄水ＲＷが貯留された際に、当該洗浄水ＲＷに浸漬される位置に設置されている。また、支持ロール２４ｅは、支持ロール２４ａの直下に配置され、支持ロール２４ｄは、支持ロール２４ｃの直下に対して支持ロール２４ｅ側に寄った位置に配置されている。なお、支持ロール２４ｄ，２４ｅは、同じ高さ位置となるように設置されている。支持ロール２４ｄは、本発明における「第４支持部材」に対応し、支持ロール２４ｅは、本発明における「第３支持部材」に対応する実施構成の一例である。
【００５２】
濾過部材２６は、図３に示すように、無端状の金網として構成されている。濾過部材２６の幅寸法は、支持ロール２４ａ，２４ｂ，２４ｃ，２４ｄ，２４ｅの軸線方向両端に設けられた鍔部２５，２５間の寸法と同じか、若干小さくなるように設定されている。
【００５３】
駆動モータ２８は、図示しない減速機などのギヤボックスを介して支持ロール２４ａに接続されており、支持ロール２４ａを回転駆動するように構成されている。駆動モータ２８によって支持ロール２４ａが回転されることによって、支持ロール２４ａ，２４ｂ，２４ｃ，２４ｄ，２４ｅに巻き掛けられた無端状の濾過部材２６が回転される。具体的には、駆動モータ２８が、支持ロール２４ａを図４における反時計回りに回転駆動することによって、濾過部材２６が図４における反時計回りに回転される（図４の白抜き矢印）。駆動モータ２８は、本発明における「駆動機構」および「アクチュエータ」に対応する実施構成の一例である。
【００５４】
水切り部材３０は、図６に示すように、ブラシやゴム板等からなる板状の払拭部材３０ａと、当該払拭部材３０ａに対向する位置に設けられた水切りロール３０ｂ、とを備えており、払拭部材３０ａの先端部と水切りロール３０ｂとによって濾過部材２６を挟み込むように構成されている。水切り部材３０は、本発明における「除去部材」に対応する実施構成の一例である。
【００５５】
水切り部材３０は、図３および図４に示すように、支持ロール２４ａと支持ロール２４ｅとの間に配置されている。なお、水切りロール３０ｂは、その軸線方向が支持ロール２４ａ，２４ｂ，２４ｃ，２４ｄ，２４ｅの各軸線方向に平行となるように配置されている。
【００５６】
循環パイプ３２は、図４に示すように、一端が収容タンク２２の取出しパイプ２２ｂに接続されると共に、図１に示すように、他端が接着剤供給ノズル８に接続されている。循環ポンプ３４が駆動されることによって、収容タンク２２内の接着剤が取出しパイプ２２ｂおよび循環パイプ３２を介して接着剤供給ノズル８に供給される。
【００５７】
洗浄槽３６は、図３に示すように、上面が開口され、内部に洗浄水ＲＷを貯留可能に構成された略直方体状のタンクとして構成されている。洗浄槽３６の長手方向（図４の左右方向）の寸法は、支持ロール２４ａおよび支持ロール２４ｂ間の寸法（あるいは、支持ロール２４ｃおよび支持ロール２４ｅ間の寸法）よりも大きく設定されており、支持ロール２４ａ，２４ｅ側が大きく突出された状態で設置される。換言すれば、収容タンク２２および濾過部材２６が巻き掛けられた支持ロール２４ａ，２４ｂ，２４ｃ，２４ｄ，２４ｅが、洗浄槽３６の左側（図３および図４の左側）に偏って配置される。洗浄水ＲＷは、本発明における「洗浄媒体」に対応する実施構成の一例である。
【００５８】
これにより、洗浄槽３６には、図３および図４に示すように、支持ロール２４ｄ，２４ｅが設置される（濾過部材２６が洗浄水ＲＷに浸漬される）領域である洗浄領域３６ａと、接着剤Ｂと共に濾過部材２６に付着していた木片や木屑等の異物９０が集積される領域である集積領域３６ｂと、が構成される。
【００５９】
なお、本実施の形態では、接着剤Ｂとして水溶性のフェノール樹脂接着剤を用いる構成であるため、洗浄槽３６に貯留される洗浄液としては、特別な薬品を用いる必要がなく、水（洗浄水ＲＷ）が貯留される。これにより、コスト増加を抑制することができるばかりでなく、作業性および環境性の向上を図ることができる。接着剤Ｂは、本発明における「液体」および「接着媒体」に対応する実施構成の一例である。
【００６０】
次に、こうして構成された濾過装置２０の動作、特に、濾過部材２６によって接着剤Ｂが濾過される際の動作について説明する。接着剤塗布装置１の運転が開始されると、図１に示すように、搬送コンベヤ２によって単板４が搬送されると共に、接着剤供給ノズル８から接着剤塗布機構６の接着剤貯留部６０に接着剤Ｂが供給される。接着剤貯留部６０に供給された接着剤Ｂは、塗布ロール１２の外周面に付着して当該塗布ロール１２と共に回転される。そして、搬送コンベヤ２によって搬送されてきた単板４が、塗布ロール１２および挟み込みロール１６との間を通過する際に、塗布ロール１２の外周面に付着した接着剤Ｂが単板４の上面全面に塗布される。
【００６１】
ここで、塗布ロール１２によって単板４の上面に接着剤Ｂが塗布される際に、単板４の上面に載っていた木片や木屑、あるいは、単板４から剥がれた節部などの木片や木屑を含む異物９０が、塗布ロール１２に付着して、当該塗布ロール１２の回転に伴って接着剤貯留部６０内に混入する。当該接着剤貯留部６０内に混入した異物９０は、接着剤貯留部６０内の接着剤Ｂの自重や、接着剤供給ノズル８から接着剤貯留部６０への接着剤Ｂの投入による押し出し効果に起因した接着剤Ｂの流動作用などによって、接着剤Ｂと共に接着剤吐出部１８に流れ込み、吐出開口１８ａから吐出される。
【００６２】
吐出開口１８ａから吐出された異物９０を含む接着剤Ｂは、図３に示すように、濾過部材２６によって濾過された後、開口２２ａ（図４参照）を介して収容タンク２２に収容される。このとき、濾過部材２６には、接着剤Ｂを濾過したことによって木片や木屑を含む異物９０が付着する。ここで、濾過部材２６は、駆動モータ２８による支持ロール２４ａの回転駆動に伴って回転されているため、接着剤Ｂを濾過した後の濾過部材２６が当該濾過部材２６に付着した異物９０と共に、支持ロール２４ｂ，２４ｃ，２４ｄを経由して洗浄槽３６に送られる。
【００６３】
支持ロール２４ｂ，２４ｃ，２４ｄを経由して洗浄槽３６に送られた濾過部材２６は、図４に示すように、支持ロール２４ｄから支持ロール２４ｅに亘って洗浄水ＲＷ中を移動し、当該洗浄水ＲＷ中を移動する間に洗浄水ＲＷによって洗浄される。具体的には、濾過部材２６に付着したフェノール樹脂を主成分とする接着剤Ｂが洗浄水ＲＷに溶け出し、当該接着剤Ｂの粘性によって濾過部材２６に付着していた木片や木屑などの異物９０が当該濾過部材２６から剥がれる。
【００６４】
ここで、濾過部材２６から剥がれた木片や木屑などの異物９０は、洗浄水ＲＷよりも比重が小さいため、浮力によって洗浄水ＲＷ面へ浮き上がろうとするが、水平に配置された支持ロール２４ｄ，２４ｅ間に延在する濾過部材２６によって上昇が遮られた状態となる。これにより、木片や木屑などの異物９０は、支持ロール２４ｄ，２４ｅ間では、濾過部材２６と共に洗浄水ＲＷ中を支持ロール２４ｄ側から支持ロール２４ｅ側に向かって水平に移動する。
【００６５】
濾過部材２６は、図４に示すように、支持ロール２４ｅに巻き掛けられた後は、支持ロール２４ａへ向かって上方（図４の上方）に方向転換されて、濾過部材２６の洗浄水ＲＷへの浸漬が解除される。これにより、濾過部材２６によって支持ロール２４ｅまで運ばれた木片や木屑などの異物９０が濾過部材２６から解放されて、洗浄槽３６の集積領域３６ｂに集積される。
【００６６】
なお、濾過部材２６が支持ロール２４ｄから支持ロール２４ｅに亘って洗浄水ＲＷ中を水平に移動する間に、接着剤Ｂに配合された非水溶性かつ高比重である添加物９２（小麦粉の一部や炭酸カルシウムなど）が、図４に示すように、洗浄水ＲＷに溶けずに洗浄槽３６の底部に沈殿される。
【００６７】
こうして洗浄水ＲＷ中を移動することによって洗浄された濾過部材２６が、支持ロール２４ａを経由して、再び接着剤吐出部１８の吐出開口１８ａと収容タンク２２の開口２２ａとの間（以下、「濾過位置」と言うこともある）に移動される。なお、洗浄水ＲＷへの浸漬が解除されて支持ロール２４ｅから支持ロール２４ａに向かって移動する濾過部材２６は、支持ロール２４ｅと支持ロール２４ａとの間に設置された水切り部材３０によって水切りされるため、濾過部材２６が再び濾過位置に移動して接着剤Ｂを濾過する際に、洗浄水ＲＷが濾過済の接着剤Ｂ（収容タンク２２内の接着剤Ｂ）に混入して接着剤Ｂの濃度が希釈されることを良好に抑制し得る。
【００６８】
一方、収容タンク２２に収容された接着剤Ｂは、循環ポンプ３４の駆動に伴って収容タンク２２の底部に設けた取出しパイプ２２ｂから循環パイプ３２を介して接着剤供給ノズル８に送給され、接着剤供給ノズル８ｂによって再び接着剤塗布機構６に供給される。
【００６９】
以上説明した本発明の実施の形態に係る濾過装置２０によれば、濾過位置には、常に洗浄された状態の濾過部材２６が配置される構成であるため、濾過部材２６の濾過能力の低下を防止し得る。また、洗浄槽３６に貯留された洗浄水ＲＷによって濾過部材２６に付着した異物９０を取り除く構成であるため、異物９０を取り除くために常に洗浄水ＲＷを噴き付ける従来の構成に比べて洗浄水ＲＷの使用量を低減でき経済的であると共に、産業廃棄物の発生量を抑制し得て環境性の向上にも寄与することができる。さらに、接着剤Ｂを濾過した後の濾過部材２６を洗浄水ＲＷ中に浸漬させて洗浄する構成であるため、洗浄水ＲＷを噴き付ける従来の構成に比べて洗浄斑を生じることがなく、洗浄性の向上を図ることができる。なお、洗浄槽３６を設けるのみであるため構造が簡易である。
【００７０】
なお、本発明の実施の形態に係る濾過装置２０を備える接着剤塗布装置１では、水溶性のフェノール樹脂接着剤に、非水溶性の添加剤（小麦粉や炭酸カルシウムなどの増量剤や効果促進剤）、および、水を配合した接着剤Ｂを用いる構成であるため、木片や木屑等の異物９０を含む当該接着剤Ｂが付着した濾過部材２６を洗浄槽３６内の洗浄水ＲＷに浸漬させるのみで、当該洗浄槽３６内において水溶性のフェノール樹脂接着剤、非水溶性の添加剤、および木片や木屑等の異物９０に分離することができる。これにより、これら水溶性のフェノール樹脂接着剤、非水溶性の添加剤および木片や木屑等の異物９０のそれぞれを個別に処理することができる。この結果、産業廃棄物処理にかかる手間およびコストを低減することができる。ここで、洗浄槽３６内の洗浄水ＲＷは静的な状態が維持されるため、洗浄槽３６内で分離された異物９０等が洗浄水ＲＷ中で撹拌されたりすることがないため、異物９０の除去効率の向上を図ることができる。
【００７１】
本実施の形態では、５つの支持ロール２４ａ，２４ｂ，２４ｃ，２４ｄ，２４ｅによって濾過部材２６を巻き掛け支持する構成としたが、これに限らない。例えば、図７や図８に例示する変形例の濾過装置１２０，２２０に示すように、３つの支持ロール２４ａ，２４ｂ，２４ｄによって濾過部材２６を巻き掛け支持する構成や、４つの支持ロール２４ａ，２４ｂ，２４ｄ，２４ｅによって濾過部材２６を巻き掛け支持する構成、あるいは、図示は省略するが、６つ以上の支持ロールによって濾過部材２６を巻き掛け支持する構成としても良い。この場合、支持ロールの設置数に関わらず、少なくとも１つの支持ロールは、洗浄槽３６内であって当該洗浄槽３６に洗浄水ＲＷが貯留された際に、当該洗浄水ＲＷに浸漬される位置に設置して、濾過部材２６が洗浄水ＲＷ中を移動する構成とする必要がある。
【００７２】
なお、変形例の濾過装置１２０では、本実施の形態に係る濾過装置２０に対して、支持ロール２４ｃ，２４ｄを廃止し、支持ロール２４ｅを収容タンク２２の取出しパイプ２２ｂの直下に配置する構成、即ち、支持ロール２４ａ，２４ｂ，２４ｅの軸線方向に沿う方向の一方側から見た場合に、当該支持ロール２４ａ，２４ｂ，２４ｅが略逆三角形状に配置される構成となっている。また、変形例の濾過装置２２０では、本実施の形態に係る濾過装置２０に対して、支持ロール２４ｃを廃止し、支持ロール２４ｄを支持ロール２４ｂの直下に配置する構成、即ち、支持ロール２４ａ，２４ｂ，２４ｄ，２４ｅの軸線方向に沿う方向の一方側から見た場合に、当該支持ロール２４ａ，２４ｂ，２４ｄ，２４ｅが四角形状に配置される構成となっている。
【００７３】
本実施の形態では、洗浄槽３６内であって当該洗浄槽３６に洗浄水ＲＷが貯留された際に、当該洗浄水ＲＷに浸漬される位置に設置した支持ロール２４ｄ，２４ｅは、同じ高さ位置となるように、即ち、支持ロール２４ｄ，２４ｅ間に延在する濾過部材２６が水平となる構成としたが、図９に例示する変形例の濾過装置３２０に示すように、支持ロール２４ｅを支持ロール２４ｄよりも上方に設置して、支持ロール２４ｄ，２４ｅ間に延在する濾過部材２６が回転方向（図９の反時計回り）に向かって（支持ロール２４ｄから支持ロール２４ｅに向かって）上り傾斜を有する構成としても良い。
【００７４】
当該構成によれば、濾過部材２６が洗浄水ＲＷ中を移動する間に当該濾過部材２６から剥がれ、支持ロール２４ｄ，２４ｅ間を当該濾過部材２６と共に移動する木片や木屑などの異物９０が、当該異物９０に作用する浮力と支持ロール２４ｄ，２４ｅ間の濾過部材２６の傾斜との両方によって、当該異物９０の集積領域３６ｂ方向への移動が促進される。これにより、集積領域３６ｂに異物９０を確実に集積させることができる。
【００７５】
本実施の形態では、支持ロール２４ｅを支持ロール２４ａの直下に配置する構成、即ち、支持ロール２４ｅに巻き掛けられた後の濾過部材２６が洗浄水ＲＷ中において水平方向から鉛直上方向に移動方向が変更される構成としたが、これに限らない。例えば、図１０に例示する変形例の濾過装置４２０に示すように、支持ロール２４ｅを支持ロール２４ａの下方であって、当該支持ロール２４ａよりも集積領域３６ｂ側に移動させて配置し、支持ロール２４ｅに巻き掛けられた後の濾過部材２６が洗浄水ＲＷ中において鉛直上方に対して傾斜する方向、具体的には、支持ロール２４ｅに巻き掛けられた後の濾過部材２６が洗浄水ＲＷ中において上方を向く方向であって、支持ロール２４ｅの軸線を通る仮想鉛直面ＶＶＰに関して支持ロール２４ａが配置された側（洗浄領域３６ａ側）に傾斜する方向に移動方向（延在方向）が変更される構成としても良い。
【００７６】
当該構成によれば、洗浄水ＲＷ中において濾過部材２６の上下面を反転させる構成、具体的には、濾過部材２６が支持ロール２４ｄから支持ロール２４ｅに向かって移動する間は接触面（吐出開口１８ａからの接着剤Ｂが接触する面）が下方を向いており、濾過部材２６が支持ロール２４ｅに巻き掛けられた後に支持ロール２４ａに向かって移動する際には、接触面（吐出開口１８ａからの接着剤Ｂが接触する面）が概ね上方を向く構成であるため、木片や木屑などの異物９０の濾過部材２６からの離脱が促進され、当該異物９０を集積領域３６ｂに確実に集積させることができる。
【００７７】
なお、当該構成の場合、図１０に示すように、支持ロール２４ｅに巻き掛けられた後の濾過部材２６が洗浄水ＲＷ中から出る部位に、濾過部材２６と集積領域３６ｂとの境界を仕切る仕切板７０を設置する構成とすることが望ましい。これにより、濾過部材２６から剥がれて集積領域３６ｂに集積された木片や木屑などの異物９０が、再び濾過部材２６に付着して濾過位置（接着剤吐出部１８の吐出開口１８ａと収容タンク２２の開口２２ａとの間）に運ばれることを良好に防止し得る。
【００７８】
また、濾過部材２６の上下面を洗浄水ＲＷ中において反転させる構成としては、変形例の濾過装置４２０の構成に限らず、例えば、図１１および図１２に例示する変形例の濾過装置５２０，６２０の構成を適用するものとしても良い。
【００７９】
濾過装置５２０は、図１１に示すように、濾過装置４２０に対して支持ロール５２４ｆを追加した点を除いて濾過装置４２０と同一の構成をしている。濾過装置５２０では、支持ロール５２４ｆを支持ロール２４ａおよび支持ロール２４ｅの間であって、支持ロール２４ａの直下に設置する。これにより、支持ロール２４ｅに巻き掛けられた後の濾過部材２６をより水平近くまで傾斜させることができるため、木片や木屑などの異物９０に作用する浮力による当該異物９０の濾過部材２６からの離脱をより促進することができる。なお、支持ロール５２４ｆは、他の支持ロール２４ａ，２４ｂ，２４ｃ，２４ｄ，２４ｅと同様の構成をしている。即ち、支持ロール５２４ｆは、軸線方向の両端部に径方向に突出した鍔部２５，２５を有する円筒部材として構成されており、その軸線が他の支持ロール２４ａ，２４ｂ，２４ｃ，２４ｄ，２４ｅの各軸線と平行となるように配置されている。
【００８０】
また、濾過装置６２０は、図１２に示すように、濾過装置４２０に対して支持ロール２４ｃ，２４ｄを廃止した点を除いて濾過装置４２０とほぼ同一の構成をしている。当該構成によれば、支持ロール２４ａ，２４ｂ，２４ｅの数を最小限に抑えながら、異物９０を集積領域３６ｂに確実に集積させることができる効果を奏することができる。なお、濾過部材２６の濾過能力の低下の防止や、経済性および環境性の向上、洗浄性の向上などを図ることができることは言うまでもない。
【００８１】
本実施の形態および上述した変形例では、濾過部材２６を無端状に構成し、その一部が洗浄槽３６内の洗浄水ＲＷに浸漬された状態で移動されるように、支持ロール２４ａ，２４ｂ，２４ｃ，２４ｄ，２４ｅ，５２４ｆに巻き掛け支持し、駆動モータ２８により濾過部材２６を回転移動させる構成としたが、木片や木屑等の異物９０を含む接着剤Ｂを濾過後の濾過部材２６が洗浄槽３６に貯留された洗浄水ＲＷによって洗浄され、かつ、洗浄後の濾過部材２６が再び濾過位置に移動される構成であれば、如何なる構成であっても良い。
【００８２】
例えば、図１３に例示する変形例の濾過装置７２０に示すように、濾過部材７２６を長尺帯状に構成し、当該濾過部材７２６の一端側を支持ロール７２４ａ，７２４ｂ，７２４ｃ，７２４ｄに巻き掛け支持すると共に、支持ロール７２４ｂ，７２４ｃを第１洗浄槽７３６ａ内の洗浄水ＲＷ中に浸漬させた状態で配置する一方、当該濾過部材７２６の他端側を支持ロール７２５ａ，７２５ｂ，７２５ｃ，７２５ｄに巻き掛け支持すると共に支持ロール７２５ｂ，７２５ｃを第２洗浄槽７３６ｂ内の洗浄水ＲＷ中に浸漬させた状態で配置し、第１および第２駆動モータ７２８ａ，７２８ｂにより濾過部材７２６の一端部と他端部とを交互に巻き取ることによって、木片や木屑等の異物９０を含む接着剤Ｂを濾過後の濾過部材７２６を洗浄水ＲＷによって洗浄すると共に、洗浄後の濾過部材７２６を再び濾過位置に移動させる構成とすることができる。支持ロール７２４ａ，７２４ｂ，７２４ｃ，７２４ｄ，７２５ａ，７２５ｂ，７２５ｃ，７２５ｄ、および、第１および第２駆動モータ７２８ａ，７２８ｂは、本発明における「駆動機構」に対応する実施構成の一例である。
【００８３】
支持ロール７２４ａ，７２５ａおよび支持ロール７２４ｄ，７２５ｄは、図１３に示すように、収容タンク２２の開口２２ａを挟むように当該開口２２ａの長手方向（図１３の左右方向）の両端部に配置されている。また、支持ロール７２４ａ，７２５ａは、当該支持ロール７２４ａ，７２５ａの上面が収容タンク２２の開口２２ａよりも上方に位置するように設置されている。
【００８４】
これにより、支持ロール７２４ａ，７２５ａに巻き掛けられた濾過部材７２６は、接着剤吐出部１８の吐出開口１８ａと収容タンク２２の開口２２ａとの間で、当該開口２２ａの長手方向（図１３の左右方向）に沿って延在する。換言すれば、支持ロール７２４ａ，７２５ａに巻き掛けられた濾過部材７２６は、吐出開口１８ａから吐出される接着剤Ｂを横切る方向に延在する。支持ロール７２４ａ，７２５ａは、それぞれ本発明における「第１支持部材」および「第２支持部材」に対応する実施構成の一例である。
【００８５】
一方、支持ロール７２４ｄ，７２５ｄは、図１３に示すように、支持ロール７２４ａ，７２５ａよりも収容タンク２２寄りの位置であって、支持ロール７２４ｄ，７２５ｄの軸線が支持ロール７２４ａ，７２５ａの軸線よりも低い位置となるように設置されている。より具体的には、支持ロール７２４ｄ，７２５ｄは、当該支持ロール７２４ｄ，７２５ｄの上面が収容タンク２２の開口２２ａよりも下方に位置（図１３の下方の位置）するように設置されている。
【００８６】
支持ロール７２４ｂ，７２４ｃおよび支持ロール７２５ｂ，７２５ｃは、図１３に示すように、それぞれ第１洗浄槽７３６ａ内および第２洗浄槽７３６ｂ内であって、当該第１洗浄槽７３６ａおよび第２洗浄槽７３６ｂに洗浄水ＲＷが貯留された際に、当該洗浄水ＲＷに浸漬される位置に設置されている。支持ロール７２４ｂ，７２５ｂは、支持ロール７２４ａ，７２５ａよりも収容タンク２２寄りの位置に設置されており、支持ロール７２４ｃ，７２５ｃは、支持ロール７２４ｄ，７２５ｄよりも収容タンク２２寄りの位置に設置されている。なお、支持ロール７２４ｂ，７２４ｃおよび支持ロール７２５ｂ，７２５ｃは、それぞれ同じ高さ位置となるように設置されている。支持ロール７２４ｂ，７２５ｂは、それぞれ本発明における「第５支持部材」および「第６支持部材」に対応し、支持ロール７２５ｂ，７２５ｃは、それぞれ本発明における「第３支持部材」および「第４支持部材」に対応する実施構成の一例である。
【００８７】
これにより、図１３に示すように、濾過部材７２６が、支持ロール２７４ａ，２７５ａに巻き掛けられた後に、支持ロール２７４ａ，２７５ａから支持ロール７２４ｂ，７２５ｂに向かって移動する間は、その接触面（吐出開口１８ａからの接着剤Ｂが接触する面）が概ね下方（第１および第２洗浄槽７３６ａ，７３６ｂの底面側）を向くように傾斜された状態で移動される。そして、濾過部材７２６が、支持ロール２７４ｂ，２７５ｂに巻き掛けられた後に、支持ロール７２４ｂ，７２５ｂから支持ロール７２４ｃ，７２５ｃに向かって移動する間においては、その接触面（吐出開口１８ａからの接着剤Ｂが接触する面）が完全に下方（鉛直下方）を向いた状態で水平に移動され、支持ロール７２４ｃ，７２５ｃに巻き掛けられた後に、支持ロール７２４ｄ，７２５ｄに向かって移動する際には、その接触面（吐出開口１８ａからの接着剤Ｂが接触する面）が概ね上方を向くように傾斜された状態（支持ロール７２４ｃ，７２５ｃの軸線を通る仮想鉛直面ＶＶＰ１，ＶＶＰ２に関して支持ロール７２４ｄ，７２５ｄ側（後述する洗浄領域７３７ａ，７３８ａ側）に傾斜された状態）で移動される。即ち、支持ロール７２４ｃ，７２５ｃに巻き掛けられた後に、濾過部材７２６の上下面が洗浄水ＲＷ中において反転される。
【００８８】
なお、支持ロール７２４ｄ，７２５ｄには、それぞれ減速機などのギヤボックスを介して第１駆動モータ７２８ａおよび第２駆動モータ７２８ｂが接続されている。第１駆動モータ７２８ａおよび第２駆動モータ７２８ｂを駆動することによって、支持ロール７２４ｄ，７２５ｄが回転駆動され、これにより、濾過部材７２６の支持ロール７２４ｄ，７２５ｄへの巻き取りや、濾過部材７２６の支持ロール７２４ｄ，７２５ｄからの送り出しが行われる。即ち、第１駆動モータ７２８ａおよび第２駆動モータ７２８ｂによる濾過部材７２６の巻き取りと送り出しを交互に行うことによって、接着剤Ｂの濾過を行った後の濾過部材７２６を第１洗浄槽７３６ａまたは第２洗浄槽７３６ｂに送って洗浄水ＲＷによって洗浄すると共に、第２洗浄槽７３６ｂまたは第１洗浄槽７３６ａにおいて既に洗浄された後の濾過部材７２６を濾過位置に移動させることができる。第１駆動モータ７２８ａおよび第２駆動モータ７２８ｂは、それぞれ本発明における「第１アクチュエータ」および「第２アクチュエータ」に対応する実施構成の一例である。
【００８９】
また、支持ロール７２４ａ，７２４ｂ，７２４ｃ，７２４ｄ，７２５ａ，７２５ｂ，７２５ｃ，７２５ｄは、本実施の形態の濾過装置２０および上述した変形例の濾過装置１２０，２２０，３２０，４２０，５２０，６２０の支持ロール２４ａ，２４ｂ，２４ｃ，２４ｄ，２４ｅ，５２４ｆと同じ構成をしている。即ち、支持ロール７２４ａ，７２４ｂ，７２４ｃ，７２４ｄ，７２５ａ，７２５ｂ，７２５ｃ，７２５ｄは、軸線方向の両端部に径方向に突出した鍔部２５，２５を有する円筒部材として構成されており、当該支持ロール７２４ａ，７２４ｂ，７２４ｃ，７２４ｄ，７２５ａ，７２５ｂ，７２５ｃ，７２５ｄの各軸線が互いに平行となるように配置されている。
【００９０】
なお、第１および第２洗浄槽７３６ａ，７３６ｂは、図１３に示すように、上面が開口された略直方体状に構成されており、収容タンク２２を挟むように配置されている。即ち、支持ロール７２４ａ，７２５ａおよび支持ロール７２４ｄ，７２５ｄの直下に開口が配置されるように設置されている。なお、図１３に示すように、第１および第２洗浄槽７３６ａ，７３６ｂの内側の領域のうち、支持ロール７２４ｃ，７２５ｃと支持ロール７２４ｄ，７２５ｄとの間に延在する濾過部材７２６に関して収容タンク２２側とは反対側の領域は、洗浄領域７３７ａ，７３８ａとして構成されており、第１および第２洗浄槽７３６ａ，７３６ｂの内側の領域のうち、支持ロール７２４ｃ，７２５ｃと支持ロール７２４ｄ，７２５ｄとの間に延在する濾過部材７２６に関して収容タンク２２側の領域は、集積領域７３７ｂ，７３８ｂとして構成されている。
【００９１】
こうして構成された変形例の濾過装置７２０によれば、本実施の形態に係る濾過装置２０および上述した変形例の濾過装置１２０，２２０，３２０，４２０、５２０，６２０と同様の効果、例えば、濾過部材７２６の濾過能力の低下を防止し得るという効果や、異物９０を取り除くために常に洗浄水ＲＷを噴き付ける従来の構成に比べて洗浄水ＲＷの使用量を低減でき経済的であると共に、産業廃棄物の発生量を抑制し得て環境性の向上にも寄与することができるという効果、洗浄水ＲＷを噴き付ける従来の構成に比べて洗浄斑を生じることがなく、洗浄性の向上を図ることができるという効果などに加えて、第１および第２洗浄槽７３６ａ，７３６ｂのうちの一方における産業廃棄物処理を行っている間は、第１および第２洗浄槽７３６ａ，７３６ｂのうちの他方によって濾過部材７２６の洗浄を行うことができるという効果を奏することができる。即ち、産業廃棄物処理を行っている最中も装置を停止することなく稼働できるため、作業効率の向上を図ることができるという効果を奏することができる。
【００９２】
本実施の形態および上述した変形例では、支持ロール２４ａ，２４ｂ，２４ｃ，２４ｄ，２４ｅ，５２４ｆ，７２４ａ，７２４ｂ，７２４ｃ，７２４ｄ，７２５ａ，７２５ｂ，７２５ｃ，７２５ｄの軸線方向両端に鍔部２５，２５を設け、これにより、濾過部材２６の蛇行や支持ロール２４ａ，２４ｂ，２４ｃ，２４ｄ，２４ｅ，５２４ｆ，７２４ａ，７２４ｂ，７２４ｃ，７２４ｄ，７２５ａ，７２５ｂ，７２５ｃ，７２５ｄからの脱落を防止する構成としたが、これに限らない。例えば、図１４に例示する変形例の支持ロール８２４に示すように、鍔部２５，２５に替えて支持ロール８２４の外周面（濾過部材２６，７２６が巻き掛けられ、当該濾過部材２６，７２６が摺動する面）にクラウニング２７を設ける構成としても良い。
【００９３】
本実施の形態および上述した変形例では、では、ブラシやゴム板等からなる板状の払拭部材３０ａと、当該払拭部材３０ａに対向する位置に設けられた水切りロール３０ｂ、とによって水切り部材３０を構成したが、これに限らない。濾過部材２６，７２６に付着した洗浄水ＲＷを除去できれば如何なる構成であっても良く、例えば、図１５に例示する変形例の、水切り部材８３０に示すように、２つの水切りロール８３０ａ，８３０ｂによって濾過部材２６，７２６を挟み込むことによって濾過部材２６，７２６に付着した洗浄水ＲＷを除去する構成としても良い。なお、濾過部材２６，７２６を挟み込む水切りロールの数は２つに限らないことは言うまでもない。
【００９４】
本実施の形態および上述した変形例では、濾過部材２６，７２６として、網状の金網を用いる構成としたが、これに限らない。例えば、図１６に例示する変形例の濾過部材８２６に示すように、濾過部材８２６として、複数の穴を有する鋼材等を用いる構成としても良い。
【００９５】
本実施の形態および上述した変形例では、非水溶性の添加剤（小麦粉や炭酸カルシウムなどの増量剤や効果促進剤）を洗浄槽３６や第１および第２洗浄槽７３６ａ，７３６ｂの底部に沈殿させる構成としたが、これに限らない。例えば、図１７に例示する変形例に示すように、洗浄槽３６の内側に、金網で作成された回収容器４６を設置して、当該回収容器４６の底部に非水溶性の添加剤（小麦粉や炭酸カルシウムなどの増量剤や効果促進剤）を沈殿させる構成としても良い。なお、変形例の濾過装置７２０においては、第１および第２洗浄槽７３６ａ，７３６ｂのそれぞれに当該回収容器４６を設置する構成とすれば良い。
【００９６】
ここで、回収容器４６は、洗浄水ＲＷは透過させるが、非水溶性の添加剤（小麦粉や炭酸カルシウムなどの増量剤や効果促進剤）は透過させないメッシュに構成されている。
【００９７】
当該構成によれば、濾過部材２６，７２６の洗浄に際して洗浄槽３６や第１および第２洗浄槽７３６ａ，７３６ｂ内で分離され、沈殿する非水溶性の添加剤（小麦粉や炭酸カルシウムなどの増量剤や効果促進剤）の処理をより簡易に行うことができる。
【００９８】
本実施の形態および上述した変形例では、駆動モータ２８によって支持ロール２４ａを回転駆動することにより濾過部材２６を回転する構成としたが、駆動モータ２８によって他の支持ロール２４ｂ，２４ｃ，２４ｄ，２４ｅ，５２４ｆなどを回転駆動することにより濾過部材２６を回転する構成としても良い。あるいは、駆動モータ２８によって直接濾過部材２６を回転させる構成としても良い。
【００９９】
変形例の濾過装置７２０では、駆動モータ７２８ａ，７２８ｂが支持ロール７２４ｄ，７２５ｄを介して濾過部材７２６を巻き取ったり、送り出したりする構成としたが、これに限らない。例えば、駆動モータ７２８ａ，７２８ｂによって直接、濾過部材７２６を巻き取ったり、送り出したりする構成としても良い。
【０１００】
本実施形態は、本発明を実施するための形態の一例を示すものである。したがって、本発明は、本実施形態の構成に限定されるものではない。なお、本実施形態の各構成要素と本発明の各構成要素の対応関係を以下に示す。
【符号の説明】
【０１０１】
１            接着剤塗布装置（接着媒体塗布装置）
２            搬送コンベヤ（搬送コンベヤ）
２ａ          ローラ
４            単板（単板）
６            接着剤塗布機構（接着媒体塗布機構）
８            接着剤供給ノズル（接着媒体供給部）
１２          塗布ロール
１４          規制ロール
１６          挟み込みロール
１８          接着剤吐出部
１８ａ        吐出開口（吐出口）
２０          濾過装置（濾過装置）
２２          収容タンク（収容タンク）
２２ａ        開口（開口）
２２ｂ        取出しパイプ
２４ａ        支持ロール（駆動機構、第１支持部材）
２４ｂ        支持ロール（駆動機構、第２支持部材）
２４ｃ        支持ロール（駆動機構）
２４ｄ        支持ロール（駆動機構、第４支持部材）
２４ｅ        支持ロール（駆動機構、第３支持部材）
２５          鍔部
２６          濾過部材（濾過部材）
２７          クラウニング
２８          駆動モータ（駆動機構、アクチュエータ）
３０          水切り部材（除去部材）
３０ａ        払拭部材
３０ｂ        水切りロール
３２          循環パイプ
３４          循環ポンプ
３６          洗浄槽（洗浄槽）
３６ａ        洗浄領域
３６ｂ        集積領域
４６          回収容器（回収容器、第１回収容器、第２回収容器）
６０          接着剤貯留部
９０          異物（異物）
９２          添加物（添加剤）
１２０        濾過装置（濾過装置）
２２０        濾過装置（濾過装置）
３２０        濾過装置（濾過装置）
４２０        濾過装置（濾過装置）
５２０        濾過装置（濾過装置）
５２４ｆ      支持ロール（駆動機構）
６２０        濾過装置（濾過装置）
７２０        濾過装置（濾過装置）
７２４ａ      支持ロール（駆動機構、第１支持部材）
７２４ｂ      支持ロール（駆動機構、第５支持部材）
７２４ｃ      支持ロール（駆動機構、第３支持部材）
７２４ｄ      支持ロール（駆動機構）
７２５ａ      支持ロール（駆動機構、第２支持部材）
７２５ｂ      支持ロール（駆動機構、第６支持部材）
７２５ｃ      支持ロール（駆動機構、第４支持部材）
７２５ｄ      支持ロール（駆動機構）
７２６        濾過部材（濾過部材）
７２８ａ      第１駆動モータ（駆動機構、第１アクチュエータ）
７２８ｂ      第２駆動モータ（駆動機構、第２アクチュエータ）
７３６ａ      第１洗浄槽（第１洗浄槽）
７３６ｂ      第２洗浄槽（第２洗浄槽）
８２４        支持ロール（駆動機構）
８２６        濾過部材（濾過部材）
８３０        水切り部材
８３０ａ      水切りロール
８３０ｂ      水切りロール
Ｂ            接着剤（液体、接着媒体）
ＲＷ          洗浄水（洗浄媒体）
ＶＰ１        仮想平面
ＶＰ２        仮想平面
ＶＰ３        仮想平面
ＶＴＬ        共通仮想接線
ＶＶＰ        仮想鉛直面
ＶＶＰ１      仮想鉛直面
ＶＶＰ２      仮想鉛直面
【図１】
2019055377.tif 000003
【図２】
2019055377.tif 000004
【図３】
2019055377.tif 000005
【図４】
2019055377.tif 000006
【図５】
2019055377.tif 000007
【図６】
2019055377.tif 000008
【図７】
2019055377.tif 000009
【図８】
2019055377.tif 000010
【図９】
2019055377.tif 000011
【図１０】
2019055377.tif 000012
【図１１】
2019055377.tif 000013
【図１２】
2019055377.tif 000014
【図１３】
2019055377.tif 000015
【図１４】
2019055377.tif 000016
【図１５】
2019055377.tif 000017
【図１６】
2019055377.tif 000018
【図１７】
2019055377.tif 000019